(57)【要約】【課題】自動で適正コインと不適正コインとに選別する機能を備えたコイン洗浄装置を安価に提供する。【解決手段】コインＣを所定の搬送ライン１０に沿って１枚ずつ整列状態で搬送しながら洗浄するコイン洗浄装置であって、前記搬送ライン１０を搬送されるコインの表面に刻印されている模様を読み取る読取手段１１と、該読取手段からのデータに基づき適正なコインであるか否かを判定する判定手段１２と、該判定手段により不適正と判定されたコインを搬送ライン１０から排除する排除手段１３とを設ける。【選択図】図２
0003102641.tif 000002
【実用新案登録請求の範囲】
【請求項１】
コインを所定の搬送ラインに沿って１枚ずつ整列状態で搬送しながら洗浄するコイン洗浄装置であって、前記搬送ラインを搬送されるコインの表面に刻印されている模様を読み取る読取手段と、該読取手段からのデータに基づき適正なコインであるか否かを判定する判定手段と、該判定手段により不適正と判定されたコインを搬送ラインから排除する排除手段とを設けたことを特徴とするコイン洗浄装置。
【考案の詳細な説明】
【技術分野】
【０００１】
この考案は、スロットマシン等の遊技機に使用されるコインを洗浄するコイン洗浄装置に関し、詳しくは適正なコインと不適正なコインとに選別する機能を備えたコイン洗浄装置に関する。
【背景技術】
【０００２】
スロットマシン等の遊技機に使用されるコインの表面には、店ごとに固有の模様が刻印されている。これは、どの店のコインであるかを判別できるようにし、他店等からの不正なコイン持込みを防止するためである。しかしながら、現実には、他店のコインを密かに持ち込む遊技客もおり、遊技機から回収したコインの中にはわずかではあるが他店のコインが混入している。従来、このような不適正なコインは、コインの計量作業や洗浄作業の際、係員が気の付いたとき随時取り除くようにしていた。
【０００３】
ところで、コインの洗浄には例えば特許文献１に開示されているようなコイン洗浄装置が用いられているが、従来のコイン洗浄装置は、専らコインの洗浄だけに使用され、それ以外の機能は持ち合わせていなかった。
【特許文献１】特開２００３−１８１３８９号公報
【考案の開示】
【考案が解決しようとする課題】
【０００４】
上記のように気の付いたときに不適正なコインを取り除く方法では、不適正なコインを完全に除去することはできない。かといって、回収した全てのコインを適正コインと不適正コインとに人手で選別する特別な工程を設けるのは、多大な労力を要するので現実的ではない。本考案はこのような背景下でなされたものであり、コイン洗浄装置に適正コインと不適正コインとに選別する機能を付加することで、コイン選別作業の自動化を達成しようとするものである。
【課題を解決するための手段】
【０００５】
本考案にかかるコイン洗浄装置は、コインを所定の搬送ラインに沿って１枚ずつ整列状態で搬送しながら洗浄するコイン洗浄装置であって、前記搬送ラインを搬送されるコインの表面に刻印されている模様を読み取る読取手段と、該読取手段からのデータに基づき適正なコインであるか否かを判定する判定手段と、該判定手段により不適正と判定されたコインを搬送ラインから排除する排除手段とを設けたことを特徴としている。
【考案の効果】
【０００６】
本考案のコイン洗浄装置を使用すると、コインを搬送ラインに沿って搬送しながら洗浄するとともに、その搬送されるコインの中から不適正なものを自動で排除するので、人手をかけずに、遊技店内に流通している多量のコインの中から不適正なコインを完全に除去することができる。
【考案を実施するための最良の形態】
【０００７】
一般的に、コイン洗浄装置は、コインを１枚ずつ整列状態で搬送するコイン搬送手段を有している。このコイン搬送手段をコインの選別に利用することにより、構成が簡易で安価なコイン選別機能付きコイン洗浄装置を実現した。
【実施例１】
【０００８】
図１は本考案によるコイン洗浄装置の１実施例を表している。このコイン洗浄装置１は、コインタンク２に貯留されているコインを該タンク２の下端部から取り出し、その取り出したコインを、洗浄槽案内部３ａ、乾燥器案内部３ｂ、排出部３ｃとからなる搬送ラインユニット（コイン搬送手段）３により１枚ずつ整列させた状態で洗浄槽４、乾燥器５の順に搬送して、洗浄及び乾燥処理するようになっている。また、搬送ラインユニット３の排出部３ｃには、コイン選別部６が設けられている。
【０００９】
図２はコイン選別部６の構成をブロック的に示す図である。コインＣは排出部３ｃの搬送ライン１０に沿って１枚ずつ整列して搬送される。搬送ライン１０の途中には、コインの表面に刻印されている模様を光学的に読み取る読取手段１１が設けられている。読取手段１１が読み取ったデータが判定手段１２に送信され、それに基づき、判定手段１２で適正なコインであるか否かを判定する。そして、適正と判定された場合は、搬送ライン１０にそのまま流し、不適正と判定された場合は、排除手段１３に出力して該当するコインを搬送ライン１０から排除する。排除されたコイン数をカウンタ１４により集計する。
【００１０】
したがって、このコイン洗浄装置１は、コインタンク２にコインを投入して起動スイッチ（図示せず）をＯＮにすると、洗浄槽４及び乾燥器５によりコインが自動で洗浄・乾燥されるとともに、洗浄・乾燥されたコインが排出部３ｃを搬送される途中で、コイン選別部６により適正コインと不適正コインとに自動で選別される。そして、適正コインは、排出部３ｃの終端から排出されて、下方の適正コイン回収容器１５内に落下する。また、不適正コインは、排除手段１３により排出部３ｃから排除されて、不適正コイン回収容器１６に回収される。
【実施例２】
【００１１】
図３は遊技施設のコイン補給・回収装置に本考案のコイン洗浄装置を組み込んだ実施例を表している。コイン補給・回収装置２０は、各遊技機２１の下方に設置した回収ライン２２により各遊技機２１のアウトコインを回収し、それをリフト２３によって所定の高さまで持ち上げ、各遊技機２１の上方に設置した補給ライン２４を経由して各遊技機２１に分配補給するようになっている。リフト２３は、コインを１枚ずつ整列した状態で下から上へ搬送するようになっており、その搬送ラインの途中にコイン洗浄装置１が設けられている。
【００１２】
コイン洗浄装置１は、基本的な構成は図１に示すものとほぼ同じで、洗浄槽４、乾燥器５、コイン選別部６等を備えている。また、コイン選別部６も図２と同じ構成である。洗浄槽４及び乾燥器５により洗浄・乾燥されたコインは、コイン選別器６により適正コインと不適正コインに選別される。そして、適正コインはそのまま補給ライン２４に流され、不適正コインは排除手段１３により排除されて不適正コイン回収容器２５に回収される。リフト２３の搬送ラインにおける洗浄槽及び乾燥器よりも上流側にコイン選別部６を設けてもよい。
【産業上の利用可能性】
【００１３】
本考案によるコインを選別する機構は、コイン洗浄装置以外にも、コインを１枚ずつ整列して搬送する搬送ラインを有する他の装置、例えばコイン計数装置、コイン研磨装置に適用することができる。
【図面の簡単な説明】
【００１４】
【図１】コイン洗浄装置の構成を示す側面図である。（実施例１）
【図２】コイン選別部の構成をブロック的に示す図である。
【図３】コイン補給・回収装置にコイン洗浄装置を組み合わせた状態を示す図である。（実施例２）
【符号の説明】
【００１５】
１    コイン洗浄装置
６    コイン選別部
１０  搬送ライン
１１  読取手段
１２  判定手段
１３  排除手段
１４  カウンタ
１０  コイン洗浄装置
２０  コイン補給・回収装置
【図１】
0003102641.tif 000003
【図２】
0003102641.tif 000004
【図３】
0003102641.tif 000005